(57)【特許請求の範囲】
【請求項１】
使用者が着座する着座面を有する本体部と、前記本体部を腰掛式便器に対して回動可能に保持する保持部と、を備える便座であって、
前記本体部は、内部部材と、前記内部部材の外形状に沿って前記内部部材を液密的に被覆する外装カバーと、を備え、
前記保持部は、前記腰掛式便器に回動可能に連結する便器連結部と、前記外装カバーを挟んで前記内部部材に固定される固定部と、を備え、
前記保持部の前記固定部は、前記本体部の前記腰掛式便器に対向する裏面側において前記外装カバーを挟んで前記内部部材の側方にて固定されている便座。
【請求項２】
前記保持部の前記固定部には、前記外装カバーの外表面に接触する接触面が形成され、前記接触面の周縁部には、前記保持部の前記固定部が前記内部部材に固定された場合、前記外装カバーの外表面を押し付ける凸部が形成されている請求項１記載の便座。
【発明の詳細な説明】
【技術分野】
【０００１】
本発明は、便座に関し、特に、使用者の着座に伴って着座面側が弾性変形する便座に関する。
【背景技術】
【０００２】
便座の一形式として、特許文献１に示されているものが知られている。便座は、特許文献１の図５に示されているように、剛体のベース部材５０、および、ベース部材５０の使用者が着座する部位に取り外し可能に配設され、使用者の着座に伴って弾性変形可能な被覆部材４０を備えている。被覆部材４０は、使用者の着座に伴って弾性変形するため、使用者が良好な座り心地を得られる。また、被覆部材４０は、ベース部材５０から取り外し可能であるため、被覆部材４０を拭き掃除等により清掃することができる。
【先行技術文献】
【特許文献】
【０００３】
【特許文献１】特開２００８−２５３７２１号公報
【発明の概要】
【発明が解決しようとする課題】
【０００４】
しかしながら、上述した特許文献１の便座においては、被覆部材４０の周縁に、ベース部材５０と被覆部材４０との合せ目が形成される。この合せ目は、使用者が着座する部位の上面および側面に形成されているため、汚れが比較的溜まりやすい。また、合せ目から部材間の隙間に、汚れが比較的侵入し易いため、便座の清潔性が低下する。
本発明は、上述した問題を解消するためになされたもので、着座面側が弾性変形するによって座り心地を向上させた便座において、清潔性を向上することを目的とする。
【課題を解決するための手段】
【０００５】
上記の課題を解決するため、請求項１に係る便座は、使用者が着座する着座面を有する本体部と、本体部を腰掛式便器に対して回動可能に保持する保持部と、を備える便座であって、本体部は、内部部材と、内部部材の外形状に沿って内部部材を液密的に被覆する外装カバーと、を備え、保持部は、腰掛式便器に回動可能に連結する便器連結部と、外装カバーを挟んで内部部材に固定される固定部と、を備え、保持部の固定部は、本体部の腰掛式便器に対向する裏面側において外装カバーを挟んで内部部材の側方にて固定されている。
【発明の効果】
【０００６】
これによれば、便座の着座面を有する本体部は、本体部を回動可能に保持する保持部と別体に形成されている。また、本体部は、内部部材の外形状に沿って内部部材を液密的に被覆する外装カバーを備えている。よって、従来の便座における着座する部位に形成されていた合せ目ひいては部材間の隙間を無くすことができるため、本体部内への汚れの侵入を抑制することができる。したがって、便座の清潔性を向上することができる。
【図面の簡単な説明】
【０００７】
【図１】本発明による便座を装着した温水洗浄便座装置の概要を示す斜視図である。
【図２】本発明による便座の一実施形態の概要を示す平面図である。
【図３】図２に示す便座の側面の部分断面図である。
【図４】図３に示すベース部材の平面図である。
【図５】図２に示すV−V線に沿った本体部の切断部端面図である。
【図６】図５に示す外装カバーの接合部の拡大図である。
【図７】図２に示すVII−VII線に沿った本体部および保持部の部分断面図である。
【図８】図７に示すVIII矢視による保持部の矢視図である。
【発明を実施するための形態】
【０００８】
以下、本発明による便座１の一実施形態について説明する。なお、本明細書においては説明の便宜上、図２における上側および下側をそれぞれ便座１の後方および前方とし、同じく左側および右側をそれぞれ便座１の左方および右方とし、同じく紙面手前側および紙面奥側を、それぞれ便座１の上方および下方として説明する。また、図２および図３には、各方向を示す矢印を示している。
【０００９】
便座１は、使用者の着座に伴って着座面側が弾性変形する便座である。便座１の着座面側が弾性変形するため、使用者の着座に伴って便座１に作用する荷重が分散される。これにより、使用者が良好な座り心地が得られる。
便座１は、図１に示すように、腰掛式便器２の上面（便座設置面）に取り付けられる温水洗浄便座装置３に装着されている。温水洗浄便座装置３は、ケーシング３ａの内部に人体を洗浄する洗浄ノズルおよび人体を乾燥する乾燥装置（いずれも図示なし）等が収容されている。また、ケーシング３ａには、便蓋３ｂおよび便座１が回動可能に支持されている。これにより、便座１は、腰掛式便器２に対して回動可能に支持される。
【００１０】
便座１は、図２に示すように、本体部１０および保持部２０を備えている。
本体部１０は、平面視において略方形状に形成され、中央部に開口部１０ａが形成されている。また、本体部１０は、図３に示すように、使用者が着座する着座面１０ｂおよび腰掛式便器２の上面に対向する裏面１０ｃを有している。着座面１０ｂは略平面状に形成されている。裏面１０ｃは、着座面１０ｂと略平行に平面状に形成された平行面１０ｃ１と、平行面１０ｃ１と連続して、平行面１０ｃ１に対して傾斜するように形成された傾斜面１０ｃ２を有している。
また、本体部１０は、本体部１０の内部に配設された内部部材１１および内部部材１１の外形状に沿って内部部材１１を液密的に被覆する外装カバー１２を備えている。
【００１１】
内部部材１１は、ベース部材１１ａ、弾性部材１１ｂおよび緩衝材１１ｃを備えている。ベース部材１１ａは、本体部１０に使用者の着座に伴って作用する荷重を支持可能な剛性を有するものである。ベース部材１１ａは、合成樹脂（例えば、ポリプロピレン）によって形成されている。ベース部材１１ａは、下面が本体部１０の裏面１０ｃの形状に沿うように略板状に形成され、図４に示すように、開口部１０ａに対応する穴部１１ａ１を有している。ベース部材１１ａは、両側方に配設された両側支持部１１ａ２、第一本体連結部１１ａ３および第二本体連結部１１ａ４を備えている。
【００１２】
両側支持部１１ａ２は、前後方向中央部から後方部にて、使用者の主として臀部を支持し、前後方向中央部から前方部にて使用者の主として大腿部を支持する部位である。第一本体連結部１１ａ３は、両側支持部１１ａ２の後方にて両側支持部１１ａ２を連結する部位である。また、第一本体連結部１１ａ３は、傾斜面１０ｃ２に対応する面を有する部位である。第二本体連結部１１ａ４は、両側支持部１１ａ２の前方にて両側支持部１１ａ２を連結する部位である。
【００１３】
弾性部材１１ｂは、図３に示すように、ベース部材１１ａの着座面１０ｂ側の面上に配設され、使用者の着座に応じて弾性変形するものである。弾性部材１１ｂは、例えば発泡ウレタン等の弾性体によって形成されている。弾性部材１１ｂは、上面が本体部１０の着座面１０ｂ側の形状に沿うように、かつ、下面がベース部材１１ａの着座面１０ｂ側の形状に沿うように略板状に形成されている。
【００１４】
緩衝材１１ｃは、便座１が回動して、本体部１０が腰掛式便器２の上面と接触（衝突）したときの衝撃をやわらげるものである。緩衝材１１ｃは、ベース部材１１ａにおける裏面１０ｃの平行面１０ｃ１に対応する面に配設されている。緩衝材１１ｃは、平行面１０ｃ１に対応する面の全体に沿うように略板状に形成されている。緩衝材１１ｃは、合成ゴム（例えば、エチレンプロピレンゴム）等の弾性体によって形成されている。
【００１５】
外装カバー１２は、内部部材１１の弾性部材１１ｂ側の部位を被覆する第一外装カバー１２ａおよび内部部材１１のベース部材１１ａ（緩衝材１１ｃ）側の部位を被覆する第二外装カバー１２ｂを備えている。外装カバー１２ａ，１２ｂは、合成皮革によって形成されている。合成皮革は、布地に合成樹脂を塗布したものである。布地は、例えば織物や編物である。合成樹脂は、例えばポリ塩化ビニルやポリウレタンである。また、外装カバー１２ａ，１２ｂは、内部部材１１の外形状に沿うように、熱成型によって形成されている。これにより、内部部材１１の外表面と外装カバー１２ａ，１２ｂの内側面とが密着するように接触するため、外装カバー１２ａ，１２ｂにおける皺の発生が抑制される。
【００１６】
そして、第一外装カバー１２ａと第二外装カバー１２ｂとは、本体部１０の内側（開口部１０ａ側）面および外側面にて全周に亘って溶着によって接合されている。溶着は、例えば高周波溶着である。これにより、外装カバー１２ａ，１２ｂの接合部１２ｃには、図５に示すように、内部部材１１側から外部に開口する部位が形成されない。具体的には、接合部１２ｃは、外装カバー１２ａ，１２ｂの合成樹脂が溶解して接合した溶着部１２ｄ（図６参照）が全周に亘って外装カバー１２の内側に形成される。このように、外装カバー１２が構成されることにより、外装カバー１２は、内部部材１１の外形状に沿って内部部材１１を液密的に被覆することができる。
なお、外装カバー１２ａ，１２ｂの溶着後に、外装カバー１２ａ，１２ｂの接合部１２ｃが、例えばトムソン刃を用いて余分をカット（トリミング加工）されることにより、本体部１０の外表面（意匠面）が形成される。これにより、外装カバー１２ａ，１２ｂの接合部１２ｃにおける本体部１０の外表面の段差は、比較的小さく形成される。
【００１７】
保持部２０は、本体部１０を温水洗浄便座装置３のケーシング３ａに回動可能に保持するものである。すなわち、保持部２０は、本体部１０を、ケーシング３ａを介して腰掛式便器２に対して回動可能に保持する。保持部２０は、図２に示すように、便座１の右側に配設された第一保持部２１および便座１の左側に配設された第二保持部２２を備えている。第一保持部２１は、図３に示すように、本体部１０の傾斜面１０ｃ２に配設されている。また、第二保持部２２についても、第一保持部２１と同様に、傾斜面１０ｃ２に配設されている。なお、便座１の裏面１０ｃにおいて、開口部１０ａの周縁は、使用者の局部との距離が比較的近いため、汚れが比較的付着し易い部位である。しかしながら、裏面１０ｃの両側方の部位は、開口部１０ａから空間をおいた位置にあるため、汚れが比較的付着しない部位である。また、保持部２０が配設されている傾斜面１０ｃ２の両側方の部位は、特に、汚れが比較的付着しない部位である。
また、保持部２１，２２は、同材料にて略左右対称形状に形成されている。以下、第一保持部２１の形状について説明する。
【００１８】
第一保持部２１は、合成樹脂（例えばポリプロピレン）にて、図７に示すように、中空の略円柱状に形成されている。第一保持部２１は、便座１の後方に向かって開口する断面略Ｕ字形状の第一部材２１ａおよび第一部材２１ａの開口部を塞ぐように形成された略板状の第二部材２１ｂによって構成されている。また、第一保持部２１は、上方の一端部にて、ケーシング３ａに回動可能に連結する便器連結部２１ｃを備えている。具体的に、便器連結部２１ｃは、第一部材２１ａのケーシング３ａ側の側壁にて、ケーシング３ａ側に向かって開口するように貫通する貫通穴２１ａ１である。ケーシング３ａに例えば円柱状の軸３ｃが側方に突出するように配設され、軸３ｃと貫通穴２１ａ１とが嵌合（すきま嵌め）するようになっている。
【００１９】
また、第一保持部２１は、下方（上下方向の中央より下方）にて、本体部１０に固定される固定部２１ｄを備えている。固定部２１ｄは、外装カバー１２を挟んで内部部材１１に固定される。固定部２１ｄは、第一部材２１ａに、本体部１０に接触する接触面２１ａ２を有している。具体的に、接触面２１ａ２は、本体部１０の傾斜面１０ｃ２にて外装カバー１２の外表面に密着するように接触している。また、第一保持部２１は、本体部１０に複数（本実施形態では２本）の取付ボルト４によって固定されている。具体的には、固定部２１ｄには、第一部材２１ａの接触面２１ａ２側の側壁にて、接触面２１ａ２にて開口し、取付ボルト４が貫通する複数の貫通穴２１ａ３が形成されている。そして、ベース部材１１ａの第一本体連結部１１ａ３の両側方に、取付ボルト４が嵌る複数のボルト穴１１ａ５がそれぞれ形成されている。取付ボルト４が貫通穴２１ａ３および外装カバー１２を貫通し、ボルト穴１１ａ５に嵌るようになっている。これにより、第一保持部２１は、固定部２１ｄにて、本体部１０の裏面１０ｃ側において外装カバー１２を挟んで内部部材１１（ベース部材１１ａの第一本体連結部１１ａ３）の側方に固定される。なお、第二保持部２２についても、第一保持部２１と同様に、本体部１０に固定される。
【００２０】
また、接触面２１ａ２の周縁部には、図８に示すように、接触面２１ａ２から本体部１０に向かって突出する凸部２１ａ４が環状に形成されている。凸部２１ａ４は、図７に示すように、断面略三角形状に形成されている。第一保持部２１の固定部２１ｄが内部部材１１（ベース部材１１ａの第一本体連結部１１ａ３）に固定された場合、凸部２１ａ４が外装カバー１２の外表面に押し付けられるようになっている。これにより、外装カバー１２は、凸部２１ａ４が無い場合に比べ、接触面２１ａ２からの押し付け力が大きくなる。接触面２１ａ２は、凸部２１ａ４が形成された周縁部において、外装カバー１２との密着性が向上する。
【００２１】
本実施形態によれば、便座１は、使用者が着座する着座面１０ｂを有する本体部１０と、本体部１０を腰掛式便器２に対して回動可能に保持する保持部２０と、を備えている。本体部１０は、内部部材１１と、内部部材１１の外形状に沿って内部部材１１を液密的に被覆する外装カバー１２と、を備えている。内部部材１１は、本体部１０の両側方にて使用者の臀部を支持する両側支持部１１ａ２および両側支持部１１ａ２を連結する第一本体連結部１１ａ３を備えた剛性を有するベース部材１１ａと、ベース部材１１ａの着座面１０ｂ側に配設され、使用者の着座に応じて弾性変形する弾性部材１１ｂと、を備えている。保持部２０は、腰掛式便器２に回動可能に連結する便器連結部２１ｃと、外装カバー１２を挟んで内部部材１１（ベース部材１１ａの第一本体連結部１１ａ３）に固定される固定部２１ｄと、を備えている。
これによれば、便座１の着座面１０ｂを有する本体部１０は、本体部１０を回動可能に保持する保持部２０と別体に形成されている。また、本体部１０は、内部部材１１の外形状に沿って内部部材１１を液密的に被覆する外装カバー１２を備えている。よって、従来の便座における着座する部位に形成されていた合せ目ひいては部材間の隙間を無くすことができるため、本体部１０内への汚れの侵入を抑制することができる。したがって、便座１の清潔性を向上することができる。
【００２２】
また、保持部２０の固定部２１ｄは、本体部１０の腰掛式便器２に対向する裏面１０ｃ側において外装カバー１２を挟んで内部部材１１（ベース部材１１ａの第一本体連結部１１ａ３）の側方にて固定されている。
保持部２０の固定部２１ｄが固定されている本体部１０の裏面１０ｃ側における内部部材１１（ベース部材１１ａの第一本体連結部１１ａ３）の側方の部位は、本体部１０の他の部位に比べ、汚れが付着しにくい部位である。よって、保持部２０の固定部２１ｄと本体部１０との合せ目への汚れの付着が比較的少ない。したがって、便座１の清潔性をより向上することができる。
【００２３】
また、保持部２０の固定部２１ｄには、外装カバー１２の外表面に接触する接触面２１ａ２が形成され、接触面２１ａ２の周縁部には、保持部２０の固定部２１ｄが内部部材１１（ベース部材１１ａの第一本体連結部１１ａ３）に固定された場合、外装カバー１２の外表面を押し付ける凸部２１ａ４が形成されている。
これによれば、外装カバー１２の外表面を押し付ける凸部２１ａ４により、保持部２０の固定部２１ｄと本体部１０との合せ目への汚れの侵入が抑制される。よって、便座１の清潔性をさらに向上することができる。
【００２４】
なお、上述した実施形態において、便座の一例を示したが、本発明はこれに限定されず、他の構成を採用することもできる。例えば、ベース部材１１ａは、第一本体連結部１１ａ３および第二本体連結部１１ａ４を備えているが、これに代えて、第二本体連結部１１ａ４を備えないようにしても良い。
また、上述した実施形態において、外装カバー１２ａ，１２ｂは、織物等からなる布地と合成樹脂から構成された合成皮革によって形成されているが、これに代えて、人工皮革によって形成するようにしても良い。人工皮革は、例えば不織布からなる布地に、ポリウレタン等の合成樹脂を塗布したものである。
さらに、外装カバー１２ａ，１２ｂを、合成樹脂（例えばポリ塩化ビニル）のフィルムによって形成するようにしても良い。この場合、外装カバー１２ａ，１２ｂに布地が無いため、余分を取り除くトリミング加工の際、トムソン刃を用いる工程を省略することができる。具体的には、トムソン刃を用いる工程に代えて、外装カバー１２ａ，１２ｂを溶着した後、手加工によって、余分をむしるように取り除く。これにより、接合部１２ｃの段差を比較的小さくすることができる。
【００２５】
また、上述した実施形態において、保持部２０の固定部２１ｄは、本体部１０の裏面１０ｃの傾斜面１０ｃ２に対応するベース部材１１ａの第一本体連結部１１ａ３の側方に、外装カバー１２を挟んで固定されているが、これに代えて、保持部２０の固定部２１ｄを、本体部１０の裏面１０ｃの平行面１０ｃ１対応するベース部材１１ａの部位の側方に、外装カバー１２を挟んで固定するようにしても良い。
また、上述した実施形態において、緩衝材１１ｃは、平行面１０ｃ１に対応するベース部材１１ａの面全体に沿うように形成されている。これに代えて、緩衝材１１ｃを、例えば円盤状に形成し、平行面１０ｃ１に対応するベース部材１１ａの面に複数配設するようにしても良い。また、内部部材１１が緩衝材１１ｃを備えないようにしても良い。
また、上述した実施形態において、便座１は、温水洗浄便座装置３に装着されているが、これに代えて、便座１を、温水洗浄便座装置３に装着せずに、腰掛式便器２に直接的に装着するようにしても良い。
【符号の説明】
【００２６】
１…便座、２…腰掛式便器、３…温水洗浄便座装置、１０…本体部、１０ａ…開口部、１０ｂ…着座面、１０ｃ…裏面、１０ｃ１…平行面、１０ｃ２…傾斜面、１１…内部部材、１１ａ…ベース部材、１１ａ２…両側支持部、１１ａ３…第一本体連結部、１１ａ４…第二本体連結部、１１ｂ…弾性部材、１１ｃ…緩衝材、１２…外装カバー、１２ａ…第一外装カバー、１２ｂ…第二外装カバー、１２ｃ…接合部、１２ｄ…溶着部、２０…保持部、２１ａ２…接触面、２１ａ４…凸部、２１ｃ…便器連結部、２１ｄ…固定部。
【図１】
0006442208.tif 000002
【図２】
0006442208.tif 000003
【図３】
0006442208.tif 000004
【図４】
0006442208.tif 000005
【図５】
0006442208.tif 000006
【図６】
0006442208.tif 000007
【図７】
0006442208.tif 000008
【図８】
0006442208.tif 000009